(57)【要約】【課題】ハウジングの接続面に保持部材を取り付け可能かつ取り外し可能な端子台を提供すること。【解決手段】端子台が、電磁継電器を接続可能な接続面を有するハウジングを備える。ハウジングが、接続面に開口してハウジングの内部に向かって延びる取り付け溝を有し、取り付け溝が、隣接して配置されて相互に連通している第１溝部および第２溝部を有する取り付け溝を有している。第１溝部は、接続面の近くに配置された第１幅狭部と、第１幅狭部よりも接続面から離れて配置された幅広部と、第１幅狭部と幅広部との境界に設けられてハウジングの内部からハウジングの外部に向かう抜去方向への保持部材の移動を規制可能な段部とを有している。第２溝部は、保持部材の爪部を弾性変形させることなく収容可能に構成されている。【選択図】図４
2020149929.tif 000002
【特許請求の範囲】
【請求項１】
電磁継電器を接続可能な接続面を有するハウジングを備え、
細長い板状の本体部と、前記本体部のその延在方向の第１端部に設けられ前記本体部の板面に交差する方向に延びる腕部と、前記本体部のその延在方向における前記第１端部の反対側の第２端部に設けられ、前記第２端部から前記第１端部に向かうに従って前記本体部から離れる方向に延びると共に、前記本体部に接近する方向に弾性変形可能な爪部とを有し、前記電磁継電器を前記接続面に接続された状態で保持する保持部材を前記接続面に取り付け可能な端子台において、
前記ハウジングが、
前記接続面に開口しかつ前記接続面に交差する第１方向に沿って前記ハウジングの内部に向かって延びる取り付け溝を有し、
前記取り付け溝が、
前記本体部が前記第１方向に延び、かつ、前記腕部が前記第１方向および前記本体部の板面に交差する第２方向に延びて接続された前記電磁継電器を前記接続面と共に挟み可能な状態で、前記本体部の前記第２端部をそれぞれ収容可能であると共に、前記第１方向および前記第２方向に交差する第３方向に隣接して配置されて相互に連通している第１溝部および第２溝部を有し、
前記第１溝部が、
前記第１方向において前記接続面の近くに配置され、前記爪部を弾性変形させた状態で収容可能な第１幅狭部と、
前記第１方向において前記第１幅狭部よりも前記接続面から離れて配置され、前記爪部を弾性変形させることなく収容可能な幅広部と、
前記第１幅狭部と前記幅広部との境界に設けられ、前記幅広部に収容されている前記爪部の第１端部側の先端が接触して、前記第１方向でかつ前記ハウジングの内部から前記ハウジングの外部に向かう抜去方向への前記保持部材の移動を規制可能な段部とを有し、
前記第２溝部が、
前記爪部を弾性変形させることなく収容可能であり、前記第１溝部に収容されている前記保持部材を前記第２溝部に移動させることにより、前記段部による前記抜去方向への前記保持部材の移動規制を解除可能に構成されている、端子台。
【請求項２】
前記第１溝部が、
前記第１方向において前記幅広部よりも前記接続面から離れて配置され、前記爪部を弾性変形させた状態で前記保持部材の前記第２端部を収容可能な第２幅狭部をさらに有し、
前記幅広部の前記第３方向における前記第２溝部との境界には、収容された前記爪部の前記第３方向への移動を規制する壁部が設けられており、
前記爪部を前記幅広部から前記第２幅狭部に移動させることにより、前記第１溝部に収容されている前記保持部材を前記第２溝部に移動可能に構成されている、請求項１の端子台。
【請求項３】
前記ハウジングが、前記第１方向にそれぞれ延びると共に、前記第３方向に並んで配置された一対の側面を有し、
前記第１方向から見て、前記一対の側面の中心を通り前記第２方向に延びる中心線が、前記第１溝部の前記第３方向の中心を通るように、前記取り付け溝が配置されている、請求項１または２の端子台。
【請求項４】
前記第２方向に間隔を空けて配置された一対の前記取り付け溝を備える、請求項１から３のいずれか１つの端子台。
【発明の詳細な説明】
【技術分野】
【０００１】
本開示は、例えば、電磁継電器を接続可能な端子台に関する。
【背景技術】
【０００２】
特許文献１には、略直方体状のリレーソケットが開示されている。このリレーソケットでは、その上面にリレーを接続可能に構成されている。接続されたリレーは、リレーソケットの側面にその一端が取り付けられた板状の保持部材によって、リレーソケットの上面に直交する方向への移動が規制され、接続状態が保持されるように構成されている。
【先行技術文献】
【特許文献】
【０００３】
【特許文献１】特開２００７−３２３８９７号公報
【発明の概要】
【発明が解決しようとする課題】
【０００４】
近年のリレーソケットの多様化に伴い、保持部材の取り付け位置が制限され、リレーソケットの側面に保持部材の一端を取り付けることができない場合がある。
【０００５】
本開示は、ハウジングの接続面に保持部材を取り付け可能かつ取り外し可能な端子台を提供することを課題とする。
【課題を解決するための手段】
【０００６】
本開示の一例の端子台は、
電磁継電器を接続可能な接続面を有するハウジングを備え、
細長い板状の本体部と、前記本体部のその延在方向の第１端部に設けられ前記本体部の板面に交差する方向に延びる腕部と、前記本体部のその延在方向における前記第１端部の反対側の第２端部に設けられ、前記第２端部から前記第１端部に向かうに従って前記本体部から離れる方向に延びると共に、前記本体部に接近する方向に弾性変形可能な爪部とを有し、前記電磁継電器を前記接続面に接続された状態で保持する保持部材を前記接続面に取り付け可能な端子台において、
前記ハウジングが、
前記接続面に開口しかつ前記接続面に交差する第１方向に沿って前記ハウジングの内部に向かって延びる取り付け溝を有し、
前記取り付け溝が、
前記本体部が前記第１方向に延び、かつ、前記腕部が前記第１方向および前記本体部の板面に交差する第２方向に延びて接続された前記電磁継電器を前記接続面と共に挟み可能な状態で、前記本体部の前記第２端部をそれぞれ収容可能であると共に、前記第１方向および前記第２方向に交差する第３方向に隣接して配置されて相互に連通している第１溝部および第２溝部を有し、
前記第１溝部が、
前記第１方向において前記接続面の近くに配置され、前記爪部を弾性変形させた状態で収容可能な第１幅狭部と、
前記第１方向において前記第１幅狭部よりも前記接続面から離れて配置され、前記爪部を弾性変形させることなく収容可能な幅広部と、
前記第１幅狭部と前記幅広部との境界に設けられ、前記幅広部に収容されている前記爪部の第１端部側の先端が接触して、前記第１方向でかつ前記ハウジングの内部から前記ハウジングの外部に向かう抜去方向への前記保持部材の移動を規制可能な段部とを有し、
前記第２溝部が、
前記爪部を弾性変形させることなく収容可能であり、前記第１溝部に収容されている前記保持部材を前記第２溝部に移動させることにより、前記段部による前記抜去方向への前記保持部材の移動規制を解除可能に構成されている。
【発明の効果】
【０００７】
前記端子台によれば、ハウジングが、接続面に開口しかつハウジングの内部に向かって延びる取り付け溝を有している。取り付け溝は、第３方向に隣接して配置されて相互に連通している第１溝部および第２溝部を有している。第１溝部および第２溝部の各々は、本体部が第１方向に延び、かつ、腕部が第２方向に延びて接続された電磁継電器を接続面と共に挟み可能な状態で、本体部の第２端部をそれぞれ収容可能に構成されている。第１溝部は、接続面の近くに配置されて爪部を弾性変形させた状態で収容可能な第１幅狭部と、第１幅狭部よりも接続面から離れて配置されて保持部材の爪部を弾性変形させることなく収容可能な幅広部と、第１幅狭部と幅広部との境界に設けられて保持部材の移動を規制可能な段部とを有している。また、第２溝部は、爪部を弾性変形させることなく収容可能であり、第１溝部に収容されている保持部材を第２溝部に移動させることにより、段部による移動規制を解除可能に構成されている。このような構成により、ハウジングの接続面に保持部材を取り付け可能かつ取り外し可能な端子台を実現できる。
【図面の簡単な説明】
【０００８】
【図１】本開示の一実施形態の端子台を示す斜視図。
【図２】図１の端子台の側面図。
【図３】図１の端子台に取り付けられる保持部材を示す斜視図。
【図４】図１の端子台の拡大上面図。
【図５】図１のV-V線に沿った断面図。
【図６】図４のVI-VI線に沿った断面図。
【発明を実施するための形態】
【０００９】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１０】
本開示の一実施形態の端子台１は、図１に示すように、絶縁性のハウジング１０を備えている。ハウジング１０は、一例として、略直方体の箱状で、その内部に複数の接続端子（図示せず）を収容している。
【００１１】
ハウジング１０の高さ方向Ｚに交差する一対の略矩形状の面の一方（すなわち、図１におけるハウジング１０の上面１０１）には、接続面１１と、複数の開口１２とが設けられている。接続面１１は、ハウジング１０の上面１０１における長手方向の略中央に配置されている。各開口１２は、ハウジング１０の上面の長手方向Ｘにおける接続面１１の両側にそれぞれ配置されている。各開口１２を介して、外部配線をハウジング１０の内部に挿入することで、ハウジング１０の内部の各接続端子と外部配線とが電気的に接続される。
【００１２】
なお、ハウジング１０の高さ方向Ｚに交差する一対の略矩形状の面の一他方（すなわち、図１におけるハウジング１０の底面１０２）は、例えば、ドイツ工業規格（ＤＩＮ）に規格化されたＤＩＮレールを保持可能に構成されている。
【００１３】
接続面１１には、複数の端子孔１３と、取り付け溝２０とが設けられている。各端子孔１３は、電磁継電器１００（図２参照）の端子が挿入されるように構成されている。各端子孔１３を介して、電磁継電器１００の端子をハウジング１０の内部に挿入することで、ハウジング１０の内部の各接続端子と電磁継電器１００の端子とが電気的に接続される。取り付け溝２０は、ハウジング１０に接続された電磁継電器１００を保持する保持部材３００（図２参照）を接続面１１に取り付け可能かつ取り外し可能に構成されている。
【００１４】
ここで、保持部材３００について説明する。保持部材３００は、図３に示すように、細長い板状の本体部３１０と、本体部３１０のその延在方向の第１端部３１１に設けられた腕部３２０と、本体部３１０のその延在方向における第１端部３１１の反対側の第２端部３１２に設けられた爪部３３０とを有している。
【００１５】
図３に示すように、本体部３１０の第２端部３１２には、板面から離れる方向に突出する圧入突起３１３が設けられている。この圧入突起３１３により、本体部３１０の第２端部３１２が、後述する取り付け溝２０の第１溝部２１に圧入により収容される。
【００１６】
爪部３３０は、図３に示すように、本体部３１０の第２端部３１２の板面に設けられ、第２端部３１２から第１端部３１１に向かうに従って本体部３１０から離れる方向に延びると共に、本体部３１０に接近する方向に弾性変形可能に構成されている。詳しくは、爪部３３０は、第２端部３１２から第１端部３１１に向かうに従って本体部３１０から離れる方向に延びる傾斜部３３１と、傾斜部３３１の第１方向Ｚにおける本体部３１０の第１端部３１１に近い方の端部から本体部３１０の第１端部３１１に向かって、本体部３１０の板面に沿って延びる平板部３３２とで構成されている。
【００１７】
取り付け溝２０に収容された状態の保持部材３００の各構成部は、次のように配置されている。
【００１８】
本体部３１０は、図２に示すように、接続面１１に交差（例えば、直交）する第１方向（すなわち、ハウジング１０の高さ方向Ｚ）に延びている。
【００１９】
腕部３２０は、図２に示すように、本体部３１０の第１端部３１１に設けられ、第１方向Ｚおよび本体部３１０の板面に交差する第２方向（すなわち、ハウジング１０の上面１０１の長手方向Ｘ）に延びている。詳しくは、腕部３２０は、本体部３１０の第１端部３１１から第２端部３１２側に突出する突出部３２１を有し、この突出部３２１で、接続面１１に接続された電磁継電器１００と接触するように構成されている。すなわち、接続面１１に接続された電磁継電器１００は、第１方向Ｚにおいて接続面１１と腕部３２０の突出部３２１とで挟まれて、保持される。
【００２０】
取り付け溝２０は、図４に示すように、接続面１１に開口しかつ第１方向Ｚに沿ってハウジング１０の内部に向かって延びている。取り付け溝２０は、ハウジング１０の上面１０１の短手方向Ｙに隣接して配置され相互に連通している第１溝部２１および第２溝部２２を有している。第１溝部２１および第２溝部２２の各々は、保持部材３００の長手方向の一端部をそれぞれ収容可能に構成されている。
【００２１】
第１溝部２１は、図５に示すように、第１方向Ｚに沿って直列的に並んで配置された第１幅狭部２１１、幅広部２１２および第２幅狭部２１３を有している。第１幅狭部２１１は、第１方向Ｚにおいて接続面１１の近くに配置されている。幅広部２１２は、第１方向Ｚにおいて第１幅狭部２１１よりも接続面１１から離れて配置されている。第２幅狭部２１３は、第１方向Ｚにおいて幅広部２１２よりも接続面１１から離れて配置されている。第１幅狭部２１１および第２幅狭部２１３の各々は、爪部３３０を弾性変形させた状態で、本体部３１０の第２端部３１２を収容可能な溝幅Ｗ１（すなわち、第２方向Ｘの溝寸法）を有している。幅広部２１２は、爪部３３０を弾性変形させることなく、本体部３１０の第２端部３１２を収容可能な溝幅Ｗ２を有している。
【００２２】
第１幅狭部２１１と幅広部２１２との境界には、段部２１４が設けられている。この段部２１４は、幅広部２１２に収容されている弾性変形していない状態の爪部３３０における本体部３１０の第１端部３１１側の先端（すなわち、平板部３３２の第１方向Ｚの先端）が接触するように構成されている。これにより、第１方向Ｚでかつハウジング１０の内部からハウジング１０の外部に向かう抜去方向（すなわち、図５の上向き）への保持部材３００の移動を規制している。
【００２３】
幅広部２１２と第２幅狭部２１３との間には、接続面１１から離れるに従って第２方向Ｘにおける溝寸法が小さくなるように傾斜する傾斜部２１５が設けられている。この傾斜部２１５により、爪部３３０を幅広部２１２から第２幅狭部２１３に移動させる際に、弾性変形させ易くしている。
【００２４】
第２溝部２２は、図４に示すように、爪部を弾性変形させることなく収容可能な溝幅Ｗ３を有している。第１溝部２１に収容されている保持部材３００を第２溝部２２に移動させることにより、段部２１４による抜去方向への保持部材３００の移動規制を解除可能に構成されている。
【００２５】
図６に示すように、幅広部２１２の第１方向Ｚおよび第２方向Ｘに交差（例えば、直交）する第３方向（すなわち、ハウジング１０の上面１０１の短手方向Ｙ）における第２溝部２２との境界には、幅広部２１２に収容された爪部３３０の第３方向Ｙへの移動を規制する壁部２１６が設けられている。この壁部２１６は、第１方向Ｚにおいて、段部２１４から、幅広部２１２および傾斜部２１５を通って、第２幅狭部２１３まで延びている。この壁部２１６により、爪部３３０が幅広部２１２および傾斜部２１５に位置している場合、保持部材３００を第２溝部２２に移動させることができないが、爪部３３０が第２幅狭部２１３に位置している場合、保持部材３００を第２溝部２２に移動させることができる。
【００２６】
ハウジング１０の接続面１１に保持部材３００を取り付ける場合、保持部材３００を第２端部３１２側から取り付け溝２０の第１溝部２１に挿入して、第１方向Ｚでかつハウジング１０の外部からハウジング１０の内部に向かう挿入方向に沿って移動させる。このとき、爪部３３０が幅広部２１２に位置するまで、保持部材３００を移動させる。爪部３３０を幅広部２１２に配置することで、段部２１４により抜去方向への保持部材３００の移動が規制され、壁部２１６により保持部材３００の第３方向Ｙの移動が規制される。
【００２７】
ハウジング１０の接続面１１に取り付けられた保持部材３００を取り付外す場合、爪部３３０が傾斜部２１５を通って第２幅狭部２１３に位置するまで、保持部材３００をさらに挿入方向に沿って移動させる。そして、爪部３３０が第２幅狭部２１３に到達すると、壁部２１６による保持部材３００の第３方向Ｙへの移動規制が解除され、保持部材３００を第２溝部２２に向かって移動させることができる。保持部材３００を第２溝部２２に移動させることで、段部２１４による抜去方向への保持部材３００の移動規制が解除される。
【００２８】
端子台１によれば、ハウジング１０が、接続面１１に開口しかつハウジング１０の内部に向かって延びる取り付け溝２０を有している。取り付け溝２０は、第３方向Ｙに隣接して配置されて相互に連通している第１溝部２１および第２溝部２２を有している。第１溝部２１および第２溝部２２の各々は、保持部材３００の本体部３１０が第１方向Ｚに延び、かつ、腕部３２０が第２方向Ｘに延びて接続された電磁継電器１００を接続面１１と共に挟み可能な状態で、本体部３１０の第２端部３１２をそれぞれ収容可能に構成されている。第１溝部２１は、接続面１１の近くに配置されて保持部材３００の爪部３３０を弾性変形させた状態で収容可能な第１幅狭部２１１と、第１幅狭部２１１よりも接続面１１から離れて配置されて爪部３３０を弾性変形させることなく収容可能な幅広部２１２と、第１幅狭部２１１と幅広部２１２との境界に設けられて保持部材３００の移動を規制可能な段部２１４とを有している。また、第２溝部２２は、爪部３３０を弾性変形させることなく収容可能であり、第１溝部２１に収容されている保持部材３００を第２溝部２２に移動させることにより、段部２１４による移動規制を解除可能に構成されている。このような構成により、ハウジング１０の接続面１１に保持部材３００を取り付け可能かつ取り外し可能な端子台１を実現できる。
【００２９】
また、第１溝部２１が、幅広部２１２よりも接続面１１から離れて配置され、爪部３３０を弾性変形させた状態で保持部材３００の第２端部３１２を収容可能な第２幅狭部２１３をさらに有している。幅広部２１２の第２溝部２２との境界には、収容された爪部３３０の移動を規制する壁部２１６が設けられ、爪部３３０を幅広部２１２から第２幅狭部２１３に移動させることにより、第１溝部２１に収容されている保持部材３００を第２溝部２２に移動可能に構成されている。このような構成により、ハウジング１０の接続面１１に保持部材３００をより確実に取り付け可能な端子台１を実現できる。
【００３０】
なお、図２に示すように、端子台１では、一例として、接続面１１に、第２方向Ｘに間隔を空けて配置された一対の取り付け溝２０が設けられ、一対の取り付け溝２０の間に各端子孔１３が配置されている。また、第１方向Ｚから見た平面視において、ハウジング１０の一対の側面１０３の中心を通り第２方向Ｘに延びる中心線ＣＬが、各取り付け溝２０の第１溝部２１の第３方向Ｙの中心を通るように、各取り付け溝２０が配置されている。このように構成することにより、保持部材３００によって、ハウジング１０に接続された電磁継電器１００をより確実に保持できる端子台１を実現できる。
【００３１】
第１溝部２１は、第１幅狭部２１１と幅広部２１２と段部２１４とを有していればよく、第２幅狭部２１３および壁部２１６については、省略することができる。また、端子台１では、第１溝部２１に底面を設けていないが、底面を設けても構わない。
【００３２】
保持部材は、取り付け溝２０に収容されて、ハウジング１０に接続された電磁継電器１００を保持できればよい。保持部材として、例えば、本体部３１０の第２端部３１２に圧入突起３１３を省略した保持部材３００を用いてもよいし、腕部３２０が相互に接続された一対の保持部材３００を用いてもよい。
【００３３】
以上、図面を参照して本開示における種々の実施形態を詳細に説明したが、最後に、本開示の種々の態様について説明する。なお、以下の説明では、一例として、参照符号も添えて記載する。
【００３４】
本開示の第１態様の端子台１は、
電磁継電器１００を接続可能な接続面１１を有するハウジング１０を備え、
細長い板状の本体部３１０と、前記本体部３１０のその延在方向の第１端部３１１に設けられ前記本体部３１０の板面に交差する方向に延びる腕部３２０と、前記本体部３１０のその延在方向における前記第１端部３１１の反対側の第２端部３１２に設けられ、前記第２端部３１２から前記第１端部３１１に向かうに従って前記本体部３１０から離れる方向に延びると共に、前記本体部３１０に接近する方向に弾性変形可能な爪部３３０とを有し、前記電磁継電器１００を前記接続面１１に接続された状態で保持する保持部材３００を前記接続面１１に取り付け可能な端子台１において、
前記ハウジング１０が、
前記接続面１１に開口しかつ前記接続面１１に交差する第１方向Ｚに沿って前記ハウジング１０の内部に向かって延びる取り付け溝２０を有し、
前記取り付け溝２０が、
前記本体部３１０が前記第１方向Ｚに延び、かつ、前記腕部３２０が前記第１方向Ｚおよび前記本体部３１０の板面に交差する第２方向Ｘに延びて接続された前記電磁継電器１００を前記接続面１１と共に挟み可能な状態で、前記本体部３１０の前記第２端部３１２をそれぞれ収容可能であると共に、前記第１方向Ｚおよび前記第２方向Ｘに交差する第３方向Ｙに隣接して配置されて相互に連通している第１溝部２１および第２溝部２２を有し、
前記第１溝部２１が、
前記第１方向Ｚにおいて前記接続面１１の近くに配置され、前記爪部３３０を弾性変形させた状態で収容可能な第１幅狭部２１１と、
前記第１方向Ｚにおいて前記第１幅狭部２１１よりも前記接続面１１から離れて配置され、前記爪部３３０を弾性変形させることなく収容可能な幅広部２１２と、
前記第１幅狭部２１１と前記幅広部２１２との境界に設けられ、前記幅広部２１２に収容されている前記爪部３３０の第１端部３１１側の先端が接触して、前記第１方向Ｚでかつ前記ハウジング１０の内部から前記ハウジング１０の外部に向かう抜去方向への前記保持部材３００の移動を規制可能な段部２１４とを有し、
前記第２溝部２２が、
前記爪部３３０を弾性変形させることなく収容可能であり、前記第１溝部２１に収容されている前記保持部材３００を前記第２溝部２２に移動させることにより、前記段部２１４による前記抜去方向への前記保持部材３００の移動規制を解除可能に構成されている。
【００３５】
第１態様の端子台１によれば、ハウジング１０の接続面１１に保持部材３００を取り付け可能かつ取り外し可能な端子台１を実現できる。
【００３６】
本開示の第２態様の端子台１は、
前記第１溝部２１が、
前記第１方向Ｚにおいて前記幅広部２１２よりも前記接続面１１から離れて配置され、前記爪部３３０を弾性変形させた状態で前記保持部材３００の前記第２端部３１２を収容可能な第２幅狭部２１３をさらに有し、
前記幅広部２１２の前記第３方向Ｙにおける前記第２溝部２２との境界には、収容された前記爪部３３０の前記第３方向Ｙへの移動を規制する壁部２１６が設けられており、
前記爪部３３０を前記幅広部２１２から前記第２幅狭部２１３に移動させることにより、前記第１溝部２１に収容されている前記保持部材３００を前記第２溝部２２に移動可能に構成されている。
【００３７】
第２態様の端子台１によれば、ハウジング１０の接続面１１に保持部材３００をより確実に取り付け可能な端子台１を実現できる。
【００３８】
本開示の第３態様の端子台１は、
前記ハウジング１０が、前記第１方向Ｚにそれぞれ延びると共に、前記第３方向Ｙに並んで配置された一対の側面１０３を有し、
前記第１方向Ｚから見て、前記一対の側面１０３の中心を通り第２方向Ｘに延びる中心線ＣＬが、前記第１溝部２１の前記第３方向Ｙの中心を通るように、前記取り付け溝２０が配置されている。
【００３９】
第３態様の端子台１によれば、保持部材３００によって、ハウジング１０に接続された電磁継電器１００をより確実に保持できる端子台１を実現できる。
【００４０】
本開示の第４態様の端子台１は、
前記第２方向Ｘに間隔を空けて配置された一対の前記取り付け溝２０を備える。
【００４１】
第４態様の端子台１によれば、保持部材３００によって、ハウジング１０に接続された電磁継電器１００をより確実に保持できる端子台１を実現できる。
【００４２】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００４３】
本開示の端子台は、例えば、リレーソケットとして用いることができる。
【符号の説明】
【００４４】
１  端子台
１０  ハウジング
１０１  上面
１０２  底面
１１  接続面
１２  開口
１３  端子孔
２０  取り付け溝
２１  第１溝部
２１１  第１幅狭部
２１２  幅広部
２１３  第２幅狭部
２１４  段部
２１５  傾斜部
２１６  壁部
２２  第２溝部
１００  電磁継電器
３００  保持部材
３１０  本体部
３１１  第１端部
３１２  第２端部
３２０  腕部
３２１  突出部
３３０  爪部
３３１  傾斜部
３３２  平板部
【図１】
2020149929.tif 000003
【図２】
2020149929.tif 000004
【図３】
2020149929.tif 000005
【図４】
2020149929.tif 000006
【図５】
2020149929.tif 000007
【図６】
2020149929.tif 000008